(57)【要約】      （修正有）【課題】疾患に関する因子を、ユーザに対して分かりやすく提示する表示管理サーバを提供する。【解決手段】表示管理サーバ１０は、通信部１０１と制御部１１０を備える。制御部１１０は、対象ユーザを特定するための健康情報抽出部１０２と、健康情報抽出部１０２から供給された疾患リスク情報に含まれる各疾患のリスク度を参照し対象ユーザとの関連性の高い疾患を判定する因子・疾患判定部１０３と、疾患に関する１又は複数の因子と、各因子の上記対象ユーザへの関連性を示す情報とを含む表示画面を生成する表示画面生成部１０４と、を備える。【選択図】図１
2016018399.tif 000002
【特許請求の範囲】
【請求項１】
対象ユーザを特定するためのユーザ特定手段と、
疾患に関する１又は複数の因子と、各因子の上記対象ユーザへの関連性を示す情報とを含む第１類の表示画面を生成する画面生成手段と、を備えている、
ことを特徴とする表示管理サーバ。
【請求項２】
上記対象ユーザへの関連性を示す情報は、上記因子に関連付けられた１又は複数の疾患と上記対象ユーザとの関連性の度合いを示すものである、
ことを特徴とする請求項１に記載の表示管理サーバ。
【請求項３】
上記第１類の表示画面は、上記対象ユーザへの関連性を示す情報として、上記因子に関連付けられた各疾患のうち、上記対象ユーザにとってリスクが所定値以上の疾患の個数を含んでいる、
ことを特徴とする請求項１または２に記載の表示管理サーバ。
【請求項４】
上記第１類の表示画面は、上記対象ユーザへの関連性を示す情報として、上記因子に関連付けられた各疾患のうち、上記対象ユーザにとってリスクが所定値以上の疾患の名称を含んでいる、
ことを特徴とする請求項１または２に記載の表示管理サーバ。
【請求項５】
上記第１類の表示画面は、上記因子に関連付けられた各疾患のうち、上記対象ユーザにとってリスクが所定値未満の疾患の名称をも含んでおり、
上記第１類の表示画面において、上記対象ユーザにとってリスクが所定値以上の疾患の名称は、上記対象ユーザにとってリスクが所定値未満の疾患の名称に比べて強調して表示される、
ことを特徴とする請求項４に記載の表示管理サーバ。
【請求項６】
上記画面生成手段は、各因子が、当該因子に関連付けられた疾患のうち対象ユーザにとってリスクが所定値以上である疾患の個数が多い順に一覧表示されるように、各因子を上記第１類の表示画面に含める、
ことを特徴とする請求項３または４に記載の表示管理サーバ。
【請求項７】
上記第１類の表示画面には、上記因子及び上記疾患の少なくとも何れかに関する関連情報が含まれる、
ことを特徴とする請求項１から６の何れか１項に記載の表示管理サーバ。
【請求項８】
上記関連情報には、上記因子及び上記疾患の少なくとも何れかに関するユーザ向けのアドバイスが含まれている、
ことを特徴とする請求項７に記載の表示管理サーバ。
【請求項９】
上記画面生成手段は、上記第１類の表示画面に含まれる各因子の少なくとも何れかに関連付けられた疾患に対する上記対象ユーザのリスクの度合いを含む第２類の表示画面を更に生成する、
ことを特徴とする請求項１から８の何れか１項に記載の表示管理サーバ。
【請求項１０】
対象ユーザを特定するためのユーザ特定手段と、疾患に関する１又は複数の因子と、各因子の上記対象ユーザへの関連性を示す情報とを含む表示画面を生成する画面生成手段と、を備える表示管理サーバと、
上記表示管理サーバから取得した上記表示画面を表示する表示部を備える端末装置と、を備えている、
ことを特徴とする健康管理システム。
【請求項１１】
表示画面を生成する表示管理サーバの画面生成方法であって、
対象ユーザを特定するためのユーザ特定ステップと、
疾患に関する１又は複数の因子と、各因子の上記対象ユーザへの関連性を示す情報とを含む表示画面を生成する画面生成ステップと、を含んでいる、
ことを特徴とする画面生成方法。
【発明の詳細な説明】
【技術分野】
【０００１】
本発明は、表示画面を生成する表示管理サーバ、そのような表示管理サーバと端末装置とを備える健康管理システム、及び、表示管理サーバの画面生成方法に関する。
【背景技術】
【０００２】
近年、人々の健康への意識が高まっていることを背景として、人々の健康に関する情報を取り扱うサービスの開発が盛んに行われている。
【０００３】
例えば、ユーザの遺伝子を検査し、その検査結果に基づいてユーザにとってリスクの高い疾患をユーザに提示する遺伝子検査サービスが提供されている。このようなサービスの一例では、遺伝子の検査結果に基づきリスクがあると判定された疾患を列記する形式によって、インターネットなどを介してユーザに提示される。また、このようなサービスの他の例では、特許文献１に記載のように、被験者に対し、各疾患に対する現在の危険度、及び、将来の疾患度の予測値が、レーダーチャートとして提示される。
【先行技術文献】
【特許文献】
【０００４】
【特許文献１】特許５１２１４４９号公報（２０１２年１１月２日登録）
【発明の概要】
【発明が解決しようとする課題】
【０００５】
しかしながら、上述のような従来の遺伝子検査サービスは、被験者に対して各疾患のリスクを提示するに留まっている。一方で、各疾患の発症を予防するためには、当該疾患に影響を及ぼす因子を被験者自らが把握し、日々の生活に反映させることが重要である。このため、自身に疾患のリスクが存在することを知った被験者は、医学書を参照したり、インターネット上のサイトを参照したりして当該疾患の因子に関する情報を集める必要があり、被験者にとって手間であるばかりか、被験者にかえってストレスがかかってしまうといった課題を有している。
【０００６】
本発明は、上記の課題を解決するためになされたものであり、その目的は、疾患に関する因子を、ユーザに対して分かりやすく提示することのできる表示管理サーバを実現することにある。
【課題を解決するための手段】
【０００７】
上記の課題を解決するために、本発明の一態様に係る表示管理サーバは、対象ユーザを特定するためのユーザ特定手段と、疾患に関する１又は複数の因子と、各因子の上記対象ユーザへの関連性を示す情報とを含む第１類の表示画面を生成する画面生成手段と、を備えている、ことを特徴とする。
【０００８】
上記の構成によれば、表示管理サーバは、画面生成手段により、疾患に関する１又は複数の因子と、各因子の対象ユーザへの関連性を示す情報とが含まれる第１類の表示画面を生成する。このため、上記表示管理サーバによれば、疾患に関する因子を、ユーザに対して分かりやすく提示することができる。また、対象ユーザは、当該第１類の表示画面を閲覧することによって、疾患に関する様々な因子のうち、自身にとって関連性の高い因子を容易に認識することができる。
【０００９】
本発明の一態様に係る表示管理サーバにおいて、上記対象ユーザへの関連性を示す情報は、上記因子に関連付けられた１又は複数の疾患と上記対象ユーザとの関連性の度合いを示すものである、ことが好ましい。
【００１０】
上記の構成によれば、上記第１類の表示画面に、上記対象ユーザへの関連性を示す情報として、上記因子に関連付けられた１又は複数の疾患と上記対象ユーザとの関連性の度合いを示すものが含まれる。このため、上記の構成によれば、疾患に関する因子を、ユーザに対してより分かりやすく提示することができる。
【００１１】
本発明の一態様に係る表示管理サーバにおいて、上記第１類の表示画面は、上記対象ユーザへの関連性を示す情報として、上記因子に関連付けられた各疾患のうち、上記対象ユーザにとってリスクが所定値以上の疾患の個数を含んでいる、ことが好ましい。
【００１２】
上記の構成によれば、上記第１類の表示画面に、上記対象ユーザへの関連性を示す情報として、上記因子に関連付けられた各疾患のうち、上記対象ユーザにとってリスクが所定値以上の疾患の個数が含まれる。このため、上記の構成によれば、対象ユーザは、当該第１類の表示画面における疾患の個数を参照することによって自身にとって関連性の高い因子を容易に認識することができる。
【００１３】
本発明の一態様に係る表示管理サーバにおいて、上記第１類の表示画面は、上記対象ユーザへの関連性を示す情報として、上記因子に関連付けられた各疾患のうち、上記対象ユーザにとってリスクが所定値以上の疾患の名称を含んでいる、ことが好ましい。
【００１４】
上記の構成によれば、上記第１類の表示画面に、上記対象ユーザへの関連性を示す情報として、上記因子に関連付けられた各疾患のうち、上記対象ユーザにとってリスクが所定値以上の疾患の名称が含まれる。このため、上記の構成によれば、対象ユーザは、自身にとって関連性の高い疾患を容易に認識することができる。
【００１５】
本発明の一態様に係る表示管理サーバにおいて、上記第１類の表示画面は、上記因子に関連付けられた各疾患のうち、上記対象ユーザにとってリスクが所定値未満の疾患の名称をも含んでおり、上記第１類の表示画面において、上記対象ユーザにとってリスクが所定値以上の疾患の名称は、上記対象ユーザにとってリスクが所定値未満の疾患の名称に比べて強調して表示される、ことが好ましい。
【００１６】
上記の構成によれば、上記対象ユーザにとってリスクが所定値以上の疾患の名称が、上記対象ユーザにとってリスクが所定値未満の疾患の名称に比べて強調して表示される。このため、上記の構成によれば、対象ユーザは、自身にとって関連性の高い疾患を容易に認識することができる。
【００１７】
本発明の一態様に係る表示管理サーバにおいて、上記画面生成手段は、各因子が、当該因子に関連付けられた疾患のうち対象ユーザにとってリスクが所定値以上である疾患の個数が多い順に一覧表示されるように、各因子を上記第１類の表示画面に含める、ことが好ましい。
【００１８】
上記の構成によれば、上記第１類の表示画面において、各因子が、当該因子に関連付けられた疾患のうち対象ユーザにとってリスクが所定値以上である疾患の個数が多い順に一覧表示される。このため、上記の構成によれば、対象ユーザは、自身にとって関連性の高い複数の疾患を容易に認識することができる。
【００１９】
本発明の一態様に係る表示管理サーバにおいて、上記第１類の表示画面には、上記因子及び上記疾患の少なくとも何れかに関する関連情報が含まれる、ことが好ましい。
【００２０】
上記の構成によれば、上記第１類の表示画面には、上記因子及び上記疾患の少なくとも何れかに関する関連情報が含まれるので、対象ユーザは、より上記因子及び上記疾患に関する豊富な情報に接することができる。
【００２１】
本発明の一態様に係る表示管理サーバにおいて、上記関連情報には、上記因子及び上記疾患の少なくとも何れかに関するユーザ向けのアドバイスが含まれている、ことが好ましい。
【００２２】
上記の構成によれば、上記関連情報には、上記因子及び上記疾患の少なくとも何れかに関するユーザ向けのアドバイスが含まれている、対象ユーザは、当該アドバイスを参考にして自身の健康への意識を高めることができる。
【００２３】
本発明の一態様に係る表示管理サーバにおいて、上記画面生成手段は、上記第１類の表示画面に含まれる各因子の少なくとも何れかに関連付けられた疾患に対する上記対象ユーザのリスクの度合いを含む第２類の表示画面を更に生成する、ことが好ましい。
【００２４】
上記の構成によれば、上記画面生成手段は、上記第１類の表示画面に含まれる各因子の少なくとも何れかに関連付けられた疾患に対する上記対象ユーザのリスクの度合いを含む第２類の表示画面を更に生成するので、対象ユーザは、疾患に関するリスクの度合いを容易に知ることができる。
【００２５】
上記の課題を解決するために、本発明の一態様に係る健康管理システムは、対象ユーザを特定するためのユーザ特定手段と、疾患に関する１又は複数の因子と、各因子の上記対象ユーザへの関連性を示す情報とを含む表示画面を生成する画面生成手段と、を備える表示管理サーバと、上記表示管理サーバから取得した上記表示画面を表示する表示部を備える端末装置と、を備えている、ことを特徴とする。
【００２６】
上記の課題を解決するために、本発明の一態様に係る画面生成方法は、表示画面を生成する表示管理サーバの画面生成方法であって、対象ユーザを特定するためのユーザ特定ステップと、疾患に関する１又は複数の因子と、各因子の上記対象ユーザへの関連性を示す情報とを含む表示画面を生成する画面生成ステップと、を含んでいる、ことを特徴とする。
【００２７】
上記の構成によれば、上記健康管理システムおよび上記画面生成方法は、上述の表示管理サーバと同様の効果を奏することができる。
【００２８】
本発明の各態様に係る表示管理サーバは、コンピュータによって実現してもよく、この場合には、コンピュータを上記表示管理サーバが備える各手段として動作させることにより上記表示管理サーバをコンピュータにて実現させる表示管理サーバのプログラム、およびそれを記録したコンピュータ読み取り可能な記録媒体も、本発明の範疇に入る。
【発明の効果】
【００２９】
本発明の一態様によれば、疾患に関する因子を、ユーザに対して分かりやすく提示することができる。
【図面の簡単な説明】
【００３０】
【図１】本発明の一実施形態に係る表示管理サーバ及びユーザ端末の構成を示すブロック図である。
【図２】本発明の一実施形態に係る健康管理システムの構成を示す模式図である。
【図３】本発明の一実施形態に係る疾患リスク情報の一例を示す表である。
【図４】本発明の一実施形態に係る因子−疾患相関情報の一例を示す表である。
【図５】本発明の一実施形態に係る表示管理サーバ、健康情報ＤＢ及びユーザ端末における処理の流れを示すシーケンス図である。
【図６】本発明の一実施形態に係る表示管理サーバによって生成される表示画面の一例を示す図である。
【図７】本発明の一実施形態に係る表示管理サーバによって生成される表示画面の他の例を示す図である。
【図８】本発明の一実施形態に係る表示管理サーバによって生成される表示画面の更に他の例を示す図である。
【図９】本発明の一実施形態に係る表示管理サーバによって生成される表示画面の更に他の例を示す図である。
【図１０】本発明の一実施形態に係る表示管理サーバによって生成される表示画面の更に他の例を示す図である。
【発明を実施するための形態】
【００３１】
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００３２】
〔健康管理システム〕
まず、本実施形態に係る健康管理システム１の構成について、図２を参照して説明する。図２は、本実施形態に係る健康管理システム１の構成を示す模式図である。
【００３３】
図２に示すように、健康管理システム１は、表示管理サーバ１０、健康情報ＤＢ（データベース）２０、ユーザ端末（端末装置）３０、及び、検査装置４０を含んで構成されている。
【００３４】
本実施形態に係る健康管理システム１において、ユーザ端末３０を所有するユーザは、自身の遺伝子が含まれる被験体サンプル（例えば、唾液、血液などの体液、口腔粘膜などの組織など）を所定の機関に送付する。所定の機関は、例えば、病院であってもよいし、遺伝子の解析が可能な研究施設であってもよいし、表示管理サーバ１０によるサービスを提供する機関などであってもよい。所定の機関は、ユーザから送られた被験体サンプルからユーザの遺伝子を解析し、解析結果を健康情報ＤＢ２０に格納する。
【００３５】
また、ユーザは、ユーザ端末３０を利用して表示管理サーバ１０にアクセスすることにより、自身の遺伝子の解析結果、又は、自身の遺伝子の解析結果に基づいた健康に関する情報などを確認することができる。
【００３６】
（表示管理サーバ）
表示管理サーバ１０は、各ユーザの所有するユーザ端末３０の各々に対して、疾患に関する１又は複数の因子と、各因子の対象ユーザ（該ユーザ端末３０を所有するユーザ）への関連性を示す情報とを含む表示画面を提供する。表示管理サーバ１０の具体的な構成については、参照する図面を替えて後述する。
【００３７】
なお、本実施形態では、実世界に存在する疾患のうち、互いに異なる疾患を「疾患Ａ」、「疾患Ｂ」、「疾患Ｃ」、…のように記載するものとする。疾患Ａ、疾患Ｂ、疾患Ｃなどの各具体例としては、例えば、肝臓がん、前立腺がん、乳がん、食道がん、関節リウマチ、骨粗しょう症、心筋梗塞、心不全、糖尿病、２型糖尿病、慢性肝臓病、子宮体がん（子宮内膜がん）、アルツハイマー病、クローン病、喘息、歯周病、膀胱がん、高血圧、ＣＯＰＤ（慢性閉塞性肺疾患）、胃がん、膵炎、膵臓がん、静脈血栓塞栓症、脳梗塞、肺がん、メタボリックシンドローム、循環器疾患、呼吸器疾患、及び、虚血性心疾患、などが挙げられるが、これらの具体例は、本実施形態を限定するものではない。
【００３８】
また、本実施形態において、疾患に関する因子には、当該疾患の原因となり得る因子である危険因子、及び、当該疾患を予防し得る因子である予防因子の少なくとも何れかが含まれる。危険因子としては、例えば喫煙、肥満、及び生活習慣病などが挙げられ、予防因子としては、例えば運動、及び睡眠などが挙げられるが、これらの具体例もまた、本実施形態を限定するものではない。
【００３９】
（健康情報ＤＢ）
健康情報ＤＢ２０には、健康に関する情報が格納されている。また、健康情報ＤＢ２０に格納されている、健康に関する情報には、以下に説明するように、（１）ユーザに関す情報、並びに、（２）疾患及び因子の少なくとも何れかに関連する情報などが含まれる。なお、疾患及び因子の少なくとも何れかに関連する情報を、以降では単に「関連情報」とも記載する。
【００４０】
ユーザに関する情報には、例えば以下の情報が含まれる。
・ユーザＩＤ：ユーザ毎に割り当てられた固有の識別子
・ユーザ基本情報：例えば名前、年齢、性別、及び遺伝子情報など、各ユーザの特性を示す情報
・疾患リスク情報：ユーザが各疾患を発症するリスク（疾患リスク）の度合い（リスク度）を示す情報
・健康診断情報：ユーザが病院などで受けた健康診断および診療などに関する情報
・処方情報：ユーザが病院および薬局などで受けた処方箋などに関する情報
・運動関連情報：ユーザの運動などに関する情報
・食事関連情報：ユーザの食事などに関する情報
なお、疾患リスクのリスク度は、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００４１】
ここで、疾患リスク情報の一例について、図３を参照して説明する。図３は、本実施形態に係る健康情報ＤＢ２０により管理されているユーザ毎の疾患リスク情報の一例を示す表である。図３に示すように、健康情報ＤＢ２０において、ユーザ毎に、各疾患の疾患リスクが管理されている。例えば、ユーザＩＤが１００００１であるユーザの疾患リスクは、疾患Ａが１．６（つまり、平均的な疾患Ａの発症率の１．６倍）、疾患Ｂが０．９、疾患Ｃが２、疾患Ｄが０．４である。
【００４２】
また、健康診断情報、処方情報、運動関連情報、及び食事関連情報は、例えば、表示管理サーバ１０が、ユーザ端末３０において実行されるアプリケーション、又は、ウェブブラウザなどから入力された情報を、ネットワークを介して取得すればよい。また、運動関連情報は、例えば、ユーザが使用する健康器具などからネットワークを介して取得されてもよい。
【００４３】
なお、ユーザに関する情報（ユーザＩＤを除く）、及び、ユーザの健康に関する情報は、それぞれ対応するユーザＩＤに関連づけられて格納されている。
【００４４】
また、関連情報には、例えば以下の情報が含まれる。
・因子−疾患相関情報：因子と疾患との相関関係を示す情報
・統計情報：疾患や因子に関する統計的な情報
・因子関連情報：因子の性質、及び、因子による健康への影響、アドバイスなどに関する情報
・疾患関連情報：疾患の性質などに関する情報
ここで、因子と疾患との相関関係について、図４を参照して説明する。図４は、本実施形態に係る健康情報ＤＢ２０により管理されている因子−疾患相関情報の一例を示す表である。図４に示すように、例えば、因子「肥満」は、疾患Ｄ、疾患Ｅ、疾患Ｆ、及び疾患Ｇの発症に関係しており、因子「喫煙」は、疾患Ｃ、疾患Ｄ、疾患Ｅ、疾患Ｆ、及び疾患Ｈの発症に関係している。換言すれば、因子「肥満」は、疾患Ｄ、疾患Ｅ、疾患Ｆ、及び疾患Ｇの少なくとも何れかが発症する要因になり得、また、因子「喫煙」は、疾患Ｃ、疾患Ｄ、疾患Ｅ、疾患Ｆ、及び疾患Ｈの少なくとも何れかが発症する要因になり得る。
【００４５】
また、統計情報には、例えば、特定の地域及び期間における、ある疾患を死因とする死亡者数や、特定の地域及び期間における、ある疾患を死因とする死亡者数の全死亡者数に対する割合等が含まれ得る。
【００４６】
なお、ユーザに関する情報、及び、関連情報に含まれる情報は、上述の情報に限定されるものではない。例えば、関連情報には、上述の情報に加えて、因子及び疾患の少なくとも何れかに関する詳細な情報が含まれていてもよいし、因子を含むユーザ向けメッセージが含まれていてもよいし、疾患に関するアドバイスが含まれていてもよい。
【００４７】
（ユーザ端末）
ユーザ端末３０は、表示管理サーバ１０から提供される表示画面を表示する。なお、ユーザ端末３０としては、例えば、ＰＣ（パーソナルコンピュータ）、携帯電話、スマートフォン、及び、タブレット端末などを挙げることができるが、本実施形態はこれらに限定されるものではない。ユーザ端末３０の具体的な構成については、参照する図面を替えて後述する。
【００４８】
（検査装置）
検査装置４０は、ユーザの被験体サンプルが送付される所定の機関に設置された装置であって、送付された被験体サンプルからユーザの遺伝子を解析する装置である。なお、検査装置４０については従来の装置を使用することができるため、ここではその詳細な説明は省略する。
【００４９】
検査装置４０は、ユーザの遺伝子の解析結果を上述のユーザ基本情報の１つとして、健康情報ＤＢ２０に格納する。また、本実施形態では、検査装置４０は、ユーザの遺伝子の解析結果に基づき、該ユーザの各疾患の疾患リスクを算出すると共に、算出した疾患リスクを該ユーザの疾患リスク情報として健康情報ＤＢ２０に格納する。
【００５０】
検査装置４０は、ユーザの遺伝子に含まれる遺伝子マーカー（例えば、ＳＮＰ）を直接検出するものであってもよいし、ユーザの遺伝子のシーケンスデータを読み取り、当該シーケンスデータから遺伝子マーカーを検出するものであってもよい。そして、検査装置４０は、検出した遺伝子マーカーと各種の疾患との関連性情報を参照して、ユーザの各疾患の疾患リスクを算出する。遺伝子マーカーと各種の疾患との関連性情報は、例えば、種々の研究論文情報を根拠として予め作成されたものであり得る。
【００５１】
なお、検査装置４０においてユーザの各疾患の疾患リスクを算出する構成を例に挙げて説明したが、本発明はこれに限定されるものではない。例えば、表示管理サーバ１０が、健康情報ＤＢ２０に格納されている健康情報の解析結果を参照してユーザの遺伝子の解析結果から該ユーザの各疾患の疾患リスクを算出し、健康情報ＤＢ２０に格納する構成を採用することもできる。また、表示管理サーバ１０が、ユーザの遺伝子のシーケンスデータから遺伝子マーカーを検出してもよい。
【００５２】
〔表示管理サーバ、ユーザ端末の構成〕
次に、本実施形態に係る健康管理システム１に含まれる表示管理サーバ１０及びユーザ端末３０の構成について、図１を参照して説明する。図１は、本実施形態に係る表示管理サーバ１０及びユーザ端末３０の構成及び機能を示すブロック図である。なお、図１では、説明の簡単化のため、健康管理システム１の備える表示管理サーバ１０、健康情報ＤＢ２０及びユーザ端末３０のみを図示し、他の構成は省略している。
【００５３】
（表示管理サーバの構成）
図１に示すように、本実施形態に係る表示管理サーバ１０は、通信部１０１、及び制御部１１０を備えており、制御部１１０は、健康情報抽出部（ユーザ特定手段）１０２、因子・疾患判定部１０３、及び、表示画面生成部（画面生成手段）１０４としての機能を有している。
【００５４】
通信部１０１は、ユーザ端末３０とネットワークを介して無線通信を行うインターフェースである。通信部１０１は、ユーザ端末３０から送信されるユーザＩＤを受信する。通信部１０１は、受信したユーザＩＤを、健康情報抽出部１０２に供給する。
【００５５】
健康情報抽出部１０２は、ユーザＩＤの示すユーザを、健康情報ＤＢ２０に格納されているユーザ基本情報により特定する。
【００５６】
また、健康情報抽出部１０２は、通信部１０１において受信されたユーザＩＤの示すユーザに関する情報、及び、上述の関連情報を、健康情報ＤＢ２０から抽出する。具体的には、健康情報抽出部１０２は、ユーザに関する情報に含まれる疾患リスク情報、並びに、関連情報に含まれる因子−疾患相関情報、因子関連情報、及び、疾患関連情報を、抽出する。健康情報抽出部１０２は、抽出した各情報を因子・疾患判定部１０３に供給する。
【００５７】
因子・疾患判定部１０３は、健康情報抽出部１０２から供給された疾患リスク情報に含まれる各疾患のリスク度を参照し、ユーザＩＤの示すユーザ（対象ユーザ）との関連性の高い疾患を判定する。また、因子・疾患判定部１０３は、対象ユーザとの関連性の高い疾患に関連する因子を、因子−疾患相関情報を参照して特定する。
【００５８】
因子・疾患判定部１０３は、特定した因子、該因子に関連する因子関連情報、対象ユーザとの関連性の高い疾患、及び、該疾患に関連する疾患関連情報を、表示画面生成部１０４に供給する。
【００５９】
表示画面生成部１０４は、ユーザ端末３０に配信するための表示画面を生成する。ここで、表示画面を生成するとは、ユーザ端末３０において当該表示画面を表示するために参照されるデータ（例えば、ＨＴＭＬ形式のデータ、ＸＭＬ形式のデータなど）を生成することを含む。
【００６０】
（ユーザ端末の構成）
ユーザ端末３０は、図１に示すように、通信部３０１、制御部３０２、表示部３０３、及び、操作部３０４を備えている。
【００６１】
通信部３０１は、表示管理サーバ１０とネットワークを介して無線通信を行う手段である。通信部３０１は、表示管理サーバ１０の通信部１０１から、当該ユーザ端末３０に表示する表示画面を示す表示画面データを受信する。例えば、ＨＴＭＬ形式で受信された表示画面データは、ユーザ端末３０のブラウザ等で表示される。
【００６２】
操作部３０４は、ユーザ端末３０に対するユーザ操作を受け付ける。例えば、操作部３０４は、当該ユーザ端末３０を所有するユーザを示すユーザＩＤの入力を受け付ける。また、操作部３０４は、表示画面における何れかのオブジェクトにフォーカスを合わせるユーザ操作（これは、例えば、当該オブジェクトにカーソルを重畳させることによってなされる）、及び、表示画面における何れかのオブジェクトを選択するユーザ操作（これは、例えば、当該オブジェクトにフォーカスを合わせたうえで、ボタンを押下すること等によってなされる）を受け付ける。
【００６３】
制御部３０２は、ユーザ端末３０の備える各部を統合的に制御する。また、制御部３０２は、通信部３０１において受信した表示画面データの示す表示画面を表示するよう表示部３０３を制御する。さらに、制御部３０２は、操作部３０４を操作することにより入力されたユーザＩＤを表示管理サーバ１０に送信するよう通信部３０１を制御する。
【００６４】
〔表示画面生成処理〕
次に、本実施形態に係る表示管理サーバ１０における表示画面の生成処理の流れについて、図５を参照して説明する。図５は、本実施形態に係る表示管理サーバ１０において表示画面生成処理が実行される際の、表示管理サーバ１０、健康情報ＤＢ２０、及び、ユーザ端末３０における処理の流れを示すシーケンス図である。
【００６５】
（ステップＳ１０１）
まず、ユーザ端末３０の通信部３０１は、表示管理サーバ１０の通信部１０１に対して、ユーザＩＤを通知する。また、表示管理サーバ１０の通信部１０１は、当該ユーザＩＤを取得する。
【００６６】
（ステップＳ１０２、Ｓ１０３）
表示管理サーバ１０の健康情報抽出部１０２は、健康情報ＤＢ２０にアクセスして図３に示した疾患リスク情報を参照し、ステップＳ１０１にて取得されたユーザＩＤによりユーザを特定すると共に、該ユーザＩＤに関連付けられた疾患リスク情報を健康情報ＤＢ２０から抽出する。このとき、健康情報ＤＢ２０は、上記ユーザＩＤに関連付けられている疾患リスク情報を健康情報抽出部１０２に送信する。健康情報抽出部１０２は、健康情報ＤＢ２０から抽出した疾患リスク情報を因子・疾患判定部１０３に供給する。
【００６７】
（ステップＳ１０４）
因子・疾患判定部１０３は、ユーザＩＤに関連付けられた疾患リスク情報に含まれる各疾患のリスク度を所定値（閾値）と比較することによって、当該所定値以上のリスク度を有する疾患を抽出する。例えば、所定値が１である場合には、因子・疾患判定部１０３は、値が１以上のリスク度を有する疾患を抽出する（所定値は、例えば、１．１であってもよいし、１．２であってもよいし、特に限定されない）。また、リスク度が１０段階など複数段階の評価値で示されている場合には、所定値を複数段階の値の中間値として、値が中間値以上のリスク度を有する疾患を抽出すればよい。
【００６８】
（ステップＳ１０５）
因子・疾患判定部１０３は、ステップＳ１０４にて抽出した疾患を特定する情報を、検索キーに設定する。また、因子・疾患判定部１０３は、設定した検索キーを健康情報抽出部１０２に供給する。ここで、疾患を特定する情報とは、疾患を特定できる情報であれば、疾患の名称であってもよいし、予め各疾患に付された疾患ＩＤであってもよいし、その他の情報であってもよい。
【００６９】
（ステップＳ１０６）
健康情報抽出部１０２は、ステップＳ１０５にて取得した検索キーを用いて、健康情報ＤＢ２０内の検索を実行する。より具体的には、健康情報抽出部１０２は、上記検索キーが示す各疾患に関連付けられた各因子、当該因子に関連付けられた因子関連情報、及び、検索キーが示す各疾患に関連付けられた疾患関連情報を、健康情報ＤＢ２０内から検索する。
【００７０】
ここで、健康情報抽出部１０２は、検索キーが示す各疾患に関連付けられた各因子を、図４に示す因子−疾患相関情報から検索し、抽出する。例えば、検索キーが示す疾患の１つが「疾患Ｃ」である場合、健康情報抽出部１０２は、因子−疾患相関情報において疾患Ｃと関連付けられている因子「喫煙」を抽出する。また、検索キーが示す疾患の１つが「疾患Ｄ」である場合、健康情報抽出部１０２は、因子−疾患相関情報において疾患Ｄと関連付けられている因子「肥満」及び因子「喫煙」を抽出する。
【００７１】
（ステップＳ１０７）
健康情報ＤＢ２０は、健康情報抽出部１０２によって指示された検索を実行することによって得られた各因子及び各関連情報を健康情報抽出部１０２に供給し、健康情報抽出部１０２は、これらの各因子及び各関連情報を取得する。また、健康情報抽出部１０２は、これらの各因子及び各関連情報を因子・疾患判定部１０３に供給する。
【００７２】
表示管理サーバ１０及び健康情報ＤＢ２０は、必要に応じて、ステップＳ１０５からステップＳ１０７の処理を繰り返す構成としてもよい。
【００７３】
以上のステップを行うことにより、因子・疾患判定部１０３は、上記ユーザＩＤに関連付けられた１又は複数の因子、各因子に関連付けられた疾患、並びに、各疾患および各因子に関連付けられた関連情報を取得することができる。
【００７４】
（ステップＳ１０８）
続いて、因子・疾患判定部１０３は、ステップＳ１０７にて取得した各因子、各疾患、及び各関連情報を用いて、表示画面を生成するよう、表示画面生成部１０４に対して指示する。当該指示を受けた表示画面生成部１０４は、表示画面を生成する。このようにして、表示管理サーバ１０により、表示画面生成処理が実行される。
【００７５】
（ステップＳ１０９）
表示管理サーバ１０は、表示画面生成部１０４が生成した表示画面を、通信部１０１を介してユーザ端末３０に配信する。
【００７６】
（ステップＳ１１０）
ユーザ端末３０の制御部３０２は、表示管理サーバ１０から通信部３０１を介して取得した表示画面を、表示部３０３に表示させる。
【００７７】
なお、上述の表示画面生成処理では、表示管理サーバ１０が関連情報を健康情報ＤＢ２０から抽出（取得）する構成を例に挙げて説明したが、これに限定されるものではない。表示管理サーバ１０は、例えば、ネットワークを介して外部のサーバ及びデータベースなどの装置から関連情報を取得してもよい。
【００７８】
〔表示画面例〕
次に、本実施形態に係る表示管理サーバ１０の備える表示画面生成部１０４によって生成され、ユーザ端末３０の表示部３０３に表示される表示画面の一例について、図６から図１０を参照して説明する。以下では、表示画面に含まれる各要素について具体的に説明するが、これらの要素は、表示画面生成部１０４が処理を行うことによって表示画面に含まれるものであることは言うまでもない。
【００７９】
（因子の一覧を含む表示画面）
図６は、表示管理サーバ１０によって生成され、ユーザ端末３０によって表示される表示画面の一例である表示画面５０を示す図である。
【００８０】
図６に示すように、表示画面５０には、大項目タブ５０１〜５０４、対象ユーザのユーザ名５０５（図６の例では、「日本太郎」）、見出し５０６（図６の例では「アドバイス」）、見出し５０６に関連する小項目タブ５１１〜５１３、及び、ＧＵＩ（Graphic User Interface）ボタン５３１〜５３２などが含まれている。
【００８１】
表示画面５０に含まれる大項目タブ５０１〜５０４について簡単に説明すれば、以下の通りである。なお、大項目タブ５０１〜５０４の何れかのタブが選択された場合、表示画面生成部１０４は、選択されたタブに対応する表示画面を生成する。
・大項目タブ５０１（「疾患発症リスク」タブ）：ユーザの各疾患のリスク度に関する情報を含む表示画面を表示するためのタブ
・大項目タブ５０２（「体質」タブ）：ユーザの体質（例えば、髪質、血中カルシウム濃度など）に関する情報を含む表示画面を表示するためのタブ
・大項目タブ５０３（「アドバイス」タブ）：各疾患の予防（疾患の発症のリスク軽減）に関するアドバイスを含む表示画面（例えば、図６に示す表示画面）を表示するためのタブ
・大項目タブ５０４（「アンケート」タブ）：アンケート（例えば、生活習慣に関するアンケートなど）に回答するための表示画面、又は、アンケートに対して以前に回答した回答内容を含む表示画面などを表示するためのタブ
表示管理サーバ１０の表示画面生成部１０４は、ユーザ端末３０の操作部３０４により大項目タブ５０１〜５０４の何れかが選択された場合、選択された大項目タブ５０１〜５０４に対応する表示画面を生成する。なお、表示画面生成部１０４は、表示画面５０に含まれるアンケート表示用のＧＵＩボタン５３１（図６の例では「アンケートに答える」）が選択された場合にも、アンケートに回答するための表示画面を生成する。図６に示す例では、アンケート表示用のＧＵＩボタン５３１が選択されると、表示画面生成部１０４は、疾患別又は活動別のアンケートを含む表示画面を生成する。
【００８２】
次に、見出し５０６が「アドバイス」である表示画面５０に含まれる、「アドバイス」に関連する小項目タブ５１１〜５１３について簡単に説明する。なお、小項目タブ５１１〜５１３の何れかのタブが選択された場合、表示画面生成部１０４は、選択されたタブに対応する表示画面を生成する。
・小項目タブ５１１（「運動・生活」タブ）：運動および生活に関する因子を含むユーザ向けメッセージを含んだ表示画面を表示するためのタブ
・小項目タブ５１２（「食品・飲料」タブ）：食品および飲料に関する因子を含むユーザ向けメッセージを含んだ表示画面を表示するためのタブ
・小項目タブ５１３（「栄養素」タブ）：栄養素に関する因子を含むユーザ向けメッセージを含んだ表示画面を表示するためのタブ
なお、表示画面５０では、小項目タブ５１１が選択されている。
【００８３】
このように、表示画面５０では、複数の因子が、「運動・生活」、「食品・飲料」、及び「栄養素」のようなカテゴリに分類されて表示される。
【００８４】
また、図６に示すように、表示画面５０には、因子を含むユーザ向けメッセージ５２１が含まれている。また、図６に示すように、表示画面には、その他の各因子を含むユーザ向けメッセージも含まれている。
【００８５】
また、図６に示すように、表示画面５０には、各因子を含むユーザ向けメッセージに加え、各因子の対象ユーザへの関連性を示す情報として、当該因子に関連付けられた１又は複数の疾患と対象ユーザとの関連性の度合いが含まれている。より具体的には、表示画面５０には、各因子の対象ユーザへの関連性を示す情報として、当該因子に関連付けられた疾患のうち、当該ユーザにとってリスクが高い（リスク度が所定値以上）疾患の個数５２２（５２２は参照符号）が含まれている。
【００８６】
更に具体的に言えば、表示画面５０では、「喫煙」「肥満」等の各因子を含むユーザ向けの各メッセージ（「喫煙を控えましょう」「肥満に気をつけましょう」など）が、「喫煙」「肥満」などに関連付けられた疾患のうちリスク度が所定値以上である疾患の個数（「９コ」「７コ」など）と共に一覧表示される。このように、表示画面生成部１０４は、対象ユーザへの関連性を示す情報として、各因子に関連付けられた各疾患のうち、リスク度が所定値以上である疾患の個数を表示画面５０に含める構成である。
【００８７】
なお、表示画面５０のように、疾患に関する１又は複数の因子と、各因子の対象ユーザへの関連性を示す情報とを含む表示画面を第１類の表示画面とも呼ぶ。
【００８８】
また、図６に示すように、表示画面５０では、各因子を含むユーザ向けメッセージが、当該因子に関連付けられた疾患のうちリスク度が所定値以上である疾患の個数５２２が多い順に一覧表示されている。
【００８９】
なお、リスク度が１０段階の評価値で表される場合であっても、同様にして、リスク度が所定値以上の疾患の個数を表示画面５０に含めることができる。
【００９０】
更に、図６に示すように、表示画面５０には、ユーザ向けメッセージに関するアドバイス５２３（図６の例では、「例えば：コーヒーを控えて紅茶やお茶にする」）も含まれている。
【００９１】
また、因子に関連付けられた疾患のうちリスク度が所定値以上である疾患の個数が１つ以上存在する因子についてのみ、表示画面５０に因子を含むメッセージ及び上記疾患の個数が含まれる構成であってもよいし、リスク度が所定値以上である疾患の個数が０である因子についても表示画面５０に因子を含むメッセージ及び上記疾患の個数が含まれる構成であってもよい。
【００９２】
なお、ユーザは、ユーザ端末３０の操作部３０４を操作して条件変更用のＧＵＩボタン５３２を選択することにより、表示画面５０の表示条件を変更するための表示画面を表示することもできる。この表示画面において表示条件を変更することにより、例えば、ユーザが気になっている因子及び該因子に関連する疾患のみを含む表示画面、又は、ユーザのアンケート結果や操作履歴等に基づいて判断されたユーザが気になっている疾患及び該疾患に関連する因子のみを含む表示画面を表示させることもできる。
【００９３】
（１つの因子に関連する疾患の一覧を含む表示画面）
図７は、表示管理サーバ１０によって生成され、ユーザ端末３０によって表示される表示画面の他の例である表示画面６０を示す図である。図７は、因子として「喫煙」が選択された場合に表示される表示画面である。なお、以降では、図７に示す表示画面６０（第１類の表示画面）に含まれる構成要素のうち図６に示す表示画面５０に含まれる構成要素と同様のものには同一の番号を付し、その説明を省略する。
【００９４】
健康管理システム１においては、ユーザ端末３０の操作部３０４が、図６に示す表示画面５０に含まれる何れかの因子を選択する旨の操作を受け付けた場合に、当該選択された因子についての詳細情報を含む表示画面６０を表示する構成とすることができる。ただし、これは本実施形態を限定するものではなく、ユーザ端末３０の操作部３０４が、図６に示す表示画面５０に含まれる疾患の個数５２２の何れかを選択する旨の操作を受け付けた場合に表示画面６０を表示する構成とすることもできる。
【００９５】
図７に示すように、表示画面６０には、因子の名称５０７（図７の例では「喫煙」）、因子の名称５０７に表示の因子に関連する小項目タブ５１４〜５１５、及び、ＧＵＩボタン５３３などが含まれている。
【００９６】
ここで、小項目タブ５１４〜５１５について簡単に説明すれば、以下の通りである。なお、小項目タブ５１４〜５１５の何れかのタブが選択された場合、表示画面生成部１０４は、選択されたタブに対応する表示画面を生成する。
・小項目タブ５１４（「喫煙について」タブ）：因子の名称５０７に表示の因子「喫煙」の性質、及び、因子「喫煙」による健康への影響などに関する情報など（つまり、上述の因子関連情報）を含む表示画面を表示するためのタブ
・小項目タブ５１５（「日常生活で実践・改善する方法」タブ）：因子の名称５０７に表示の因子「喫煙」を改善（例えば、禁煙、喫煙の量の削減など）するためのアドバイスを含む表示画面を表示するためのタブ
また、図７に示すように、小項目タブ５１４（「喫煙について」タブ）が選択されていることにより、表示画面６０には、因子の名称５０７に表示の因子「喫煙」の定義、並びに、当該因子「喫煙」による弊害及び影響に関する情報が含まれている。
【００９７】
また、図７に示すように、表示画面６０には、各因子の対象ユーザへの関連性を示す情報として、因子に関連付けられた１又は複数の疾患と対象ユーザとの関連性の度合いが含まれている。より具体的には、表示画面５０には、各因子の対象ユーザへの関連性を示す情報として、表示対象の因子に関連付けられた各疾患５２４のうち、対象にユーザにとってのリスク度が所定値以上の疾患５２４ａが含まれている。ここで、リスク度が所定値以上の疾患５２４ａは、各疾患５２４のうち、リスク値が所定値より小さい疾患５２４ｂよりも強調して表示される。すなわち、表示画面生成部１０４は、表示対象の因子の対象ユーザへの関連性を示す情報として、当該因子に関連付けられた疾患のうち、リスク度が所定値以上の疾患が、リスク度が所定値未満の疾患に比べて強調して表示されるよう表示画面６０に含める。
【００９８】
ここで、強調して表示するとは、例えば、色分け表示や明滅表示、アイコンの輪郭を強調した表示などが挙げられる。ただし、これらの例は、本実施形態を限定するものではない。なお、表示画面生成部１０４は、リスク度が１０段階の評価値で表される場合であっても、同様にして、リスク度が所定値以上の疾患が、リスク度が所定値未満の疾患に比べて強調して表示されるような表示画面を生成することができる。
【００９９】
また、図７に示す例では、アンケート表示用のＧＵＩボタン５３３が選択されると、表示画面生成部１０４は、身長及び体重等に関するアンケートを含む表示画面を生成する。
【０１００】
なお、表示画面生成部１０４は、図６に示す表示画面５０に含まれるリスク度が所定値以上の疾患の個数５２２（５２２は参照符号）の代わりに、図７に示す表示画面６０に含まれる各疾患５２４（又は、リスク度が所定値以上の疾患５２４ａ）を含む表示画面を生成することもできる。これによれば、ユーザにとってリスクが所定値以上の疾患の名称が、ユーザにとってリスクが所定値未満の疾患の名称に比べて強調して表示される。このため、ユーザは、自身にとって関連性の高い疾患を容易に認識することができる。
【０１０１】
（疾患に関連する詳細な情報を含む表示画面）
図８は、表示管理サーバ１０によって生成され、ユーザ端末３０によって表示される表示画面の更に他の例である表示画面７０を示す図である。図８は、疾患として「疾患Ｂ」が選択された場合に表示される表示画面である。
【０１０２】
健康管理システム１においては、ユーザ端末３０の操作部３０４が、図７に示す表示画面６０に含まれる何れかの疾患（図８の例では、図７の表示画面６０に含まれる「疾患Ｂ」）を選択する旨の操作を受け付けた場合に、当該選択された因子についての詳細情報を含む表示画面７０を表示する構成とすることができる。
【０１０３】
図８に示すように、表示画面７０には、疾患の名称５０８（図８の例では「疾患Ｂ」）、疾患の名称５０８に表示の疾患に関連する小項目タブ５１６〜５１９、及び、ＧＵＩボタン５３３などが含まれている。また、疾患の名称５０８の下部には、疾患の名称５０８に表示の疾患に関する説明が含まれている。
【０１０４】
ここで、小項目タブ５１６〜５１９について簡単に説明すれば、以下の通りである。なお、小項目タブ５１６〜５１９の何れかのタブが選択された場合、表示画面生成部１０４は、選択されたタブに対応する表示画面を生成する。
・小項目タブ５１６（「あなたが属する遺伝子型のリスク」タブ）：疾患に対するユーザのリスク度を含む表示画面を表示するためのタブ
・小項目タブ５１７（「生活で改善や予防が出来ること」タブ）：疾患のリスクを低減するための改善点又は予防策を含む表示画面を表示するためのタブ
・小項目タブ５１８（「解析したＤＮＡ」タブ）：ユーザの遺伝子情報（ＤＮＡ）の解析結果を含む表示画面を表示するためのタブ
・小項目タブ５１９（「疾患の詳しい内容について」タブ）：疾患の詳しい内容の説明を含む表示画面を表示するためのタブ
図８に示す表示画面７０の一例では、小項目タブ５１６が選択されている。また、図面には明示されていないが、表示画面７０には、対象ユーザに関連する各因子の少なくとも何れかに関連付けられた疾患に対する対象ユーザのリスク度を説明する文章が含まれている。なお、表示画面７０は、疾患に対する対象ユーザのリスク度を示す図、記号、数値等を更に含むものであってもよい。
【０１０５】
なお、表示画面７０のように、各因子の少なくとも何れかに関連付けられた疾患に対する対象ユーザのリスクの度合いを含む表示画面を第２類の表示画面とも呼ぶ。
【０１０６】
また、表示画面７０には、疾患の名称５０８に表示の疾患に関するカウンセリング紹介用のＧＵＩボタン５３４（図８の例では、「カウンセリングのご紹介」）が含まれている。カウンセリング紹介用のＧＵＩボタン５３４が選択されると、表示画面生成部１０４は、疾患の名称５０８に表示の疾患に関するカウンセリングが受けられる事業及び病院などの一覧画面、又は、カウンセリングを受けるための説明画面や予約フォーム画面などを生成する。
【０１０７】
（１つの疾患に関連する因子の一覧を含む表示画面）
図９は、表示管理サーバ１０によって生成され、ユーザ端末３０によって表示される表示画面の更に他の例である表示画面８０を示す図である。図９は、疾患として「疾患Ｎ」が選択された場合に表示される表示画面である。
【０１０８】
健康管理システム１においては、ユーザ端末３０の操作部３０４が、図８に示す表示画面７０（但し、疾患の名称５０８に表示の疾患が「疾患Ｎ」である場合）に含まれる小項目タブ５１７（「生活で改善や予防が出来ること」タブ）を選択する旨の操作を受け付けた場合に、当該表示画面８０を表示する構成とすることができる。なお、以降では、図９に示す表示画面８０に含まれる構成要素のうち図８に示す表示画面７０に含まれる構成要素と同様のものには同一の番号を付し、その説明を省略する。
【０１０９】
図９に示すように、表示画面８０には、疾患の名称５０９（図９の例では「疾患Ｎ」）、疾患の名称５０９に表示の疾患に関連する説明、小項目タブ５１６〜５１９、及び、因子の一覧などが含まれる。
【０１１０】
表示画面８０に含まれる因子の一覧においては、（１）予防因子・危険因子５２７（図９に示す例では、運動に関する予防因子・危険因子「運動」、「肥満」、「喫煙」、栄養素に関する予防因子・危険因子「カリウム」、「減塩」、「コレステロール摂取制限」、「飽和脂肪酸摂取制限」、食品・飲料に関する予防因子・危険因子「飲酒」など）の一覧、（２）各予防因子・危険因子５２７と疾患のリスク５２６との関連性を示す矢印、及び、（３）各予防因子・危険因子５２７に関するアドバイスを表示するための開くボタン５３５（図９の例では「開く」）などが含まれる。
【０１１１】
ここで、表示画面８０に含まれる上記矢印は、上向きの場合に予防因子・危険因子５２７と疾患のリスク５２６との関連性が高いことを示し、下向きの場合に予防因子・危険因子５２７と疾患のリスク５２６との関連性が低いことを示している。また、開くボタン５３５が選択されると、表示画面生成部１０４は、対応する予防因子・危険因子５２７に関するアドバイスを含む表示画面を生成する。
【０１１２】
（因子の一覧を含む表示画面の他の例）
図１０は、表示管理サーバ１０によって生成され、ユーザ端末３０によって表示される表示画面の他の例である表示画面９０を示す図である。
【０１１３】
表示画面９０では、各因子に加え、当該因子に関連付けられた疾患の名称が含まれ、更に、各疾患のうちリスク度が所定値以上の疾患の名称が、リスク度が所定値未満の疾患の名称に比べて強調して表示される。
【０１１４】
図１０に示すように、表示画面９０には、表示の並び順を選択する項目５５１、条件変更用のＧＵＩボタン５５２（図１０の例では「条件を変更」）、因子５５５の一覧、各因子に関連する疾患５５７の一覧、及び、各因子に関するアドバイス５５６などが含まれる。また、表示画面９０には、因子分類（生活・運動に関する因子、食品・飲料に関する因子、及び、栄養素に関する因子など）の色分けの説明欄５５３などが含まれる。
【０１１５】
因子分類の色分けの説明欄５５３では、因子が３つのカテゴリに分類され、それぞれ異なる色で表示されるよう構成されている。また、表示画面９０に含まれる因子５５５のうち因子「喫煙」は生活・運動に分類される因子であることから、因子分類の色分けの説明欄５５３にて示される「生活・運動」に割り当てられている色と同じ色に色分けされる。
【０１１６】
また、因子毎に一覧表示される疾患５５７において、リスク度が所定値以上である疾患に分類される疾患の名称５５７ａと、リスク度が所定値未満である疾患に分類される疾患の名称５５７ｂとが、それぞれ異なる色で表示されるよう構成されている。
【０１１７】
表示画面９０には、また、因子５５５に関するアドバイス５５６を非表示にするための閉じるボタン５５８（図１０の例では「閉じる」）、及び、因子５５５に関するその他のアドバイスの詳細を表示するための詳細表示ボタン５５９（図１０の例では「もっと詳しく＞」）などが含まれる。閉じるボタン５５８が選択されると、表示画面生成部１０４は、因子５５５に関するアドバイス５５６を非表示にした（つまり、アドバイス５５６が含まれない）表示画面を生成し、詳細表示ボタン５５９が選択されると、因子５５５に関するその他のアドバイスの詳細を含む表示画面を生成する。
【０１１８】
なお、表示画面生成部１０４は、図６から図１０に示す表示画面５０〜９０をスクロール表示可能に生成してもよい。
【０１１９】
（付記事項１）
表示管理サーバ１０は、表示画面が複数のページから成る場合、これら複数のページを一部分ずつユーザ端末３０に送信する構成としてもよいし、これら複数のページを一括してユーザ端末３０に送信する構成としてもよい。例えば、表示管理サーバ１０は、上述した表示画面５０〜９０を、表示画面毎にユーザ端末３０に送信してもよいし、表示画面５０〜９０を一括してユーザ端末３０に送信してもよい。
【０１２０】
前者の場合、ユーザ端末３０は、操作部３０４において表示画面上のある要素が選択された後、当該要素に関する情報を含むページを表示管理サーバ１０から取得したうえで表示部３０３に表示する。一方、後者の場合、ユーザ端末３０は、操作部３０４において表示画面上のある要素が選択された後、表示管理サーバ１０にアクセスすることなく、当該選択された要素に関する関連情報を表示部３０３に表示することができる。
【０１２１】
（付記事項２）
また、健康管理システム１では、疾患リスク情報、などの各情報が健康情報ＤＢ２０に格納されている場合を例に挙げて説明したが、これは本実施形態を限定するものではない。例えば、疾患リスク情報など、健康情報ＤＢ２０に格納されている１つ以上の情報が表示管理サーバ１０の備える記憶部（不図示）に格納されていてもよいし、健康情報ＤＢ２０に格納されている１つ以上の情報が１又は複数の他のＤＢに格納されていてもよい。また、健康情報ＤＢ２０に格納されている１つ以上の情報は、必要に応じて取得されるものであってもよい。
【０１２２】
（付記事項３）
更に、表示管理サーバ１０と健康情報ＤＢ２０とは一体のサーバとして実現してもよいし、表示管理サーバ１０の有する機能（具体的には、健康情報抽出部１０２、因子・疾患判定部１０３、及び、表示画面生成部１０４の有する機能）を複数のサーバによって実現する構成としてもよい。
【０１２３】
〔ソフトウェアによる実現例〕
表示管理サーバ１０及びユーザ端末３０の制御ブロック（特に、制御部１１０の健康情報抽出部１０２、因子・疾患判定部１０３及び表示画面生成部１０４、並びに、制御部３０２）は、集積回路（ＩＣチップ）等に形成された論理回路（ハードウェア）によって実現してもよいし、ＣＰＵ（Central Processing Unit）を用いてソフトウェアによって実現してもよい。
【０１２４】
後者の場合、表示管理サーバ１０及びユーザ端末３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２６】
本発明は、表示画面を生成するサーバに好適に利用することができる。
【符号の説明】
【０１２７】
１      健康管理システム
１０    表示管理サーバ
３０    ユーザ端末（端末装置）
４０    検査装置
１０１  通信部
１０２  健康情報抽出部（ユーザ特定手段）
１０３  因子・疾患判定部
１０４  表示画面生成部（画面生成手段）
１１０  制御部
３０１  通信部
３０２  制御部
３０３  表示部
３０４  操作部
【図１】
2016018399.tif 000003
【図２】
2016018399.tif 000004
【図３】
2016018399.tif 000005
【図４】
2016018399.tif 000006
【図５】
2016018399.tif 000007
【図６】
2016018399.tif 000008
【図７】
2016018399.tif 000009
【図８】
2016018399.tif 000010
【図９】
2016018399.tif 000011
【図１０】
2016018399.tif 000012